(57)【要約】
【課題】　作業性に優れ、飼育容器内を確実に換気可能な飼育装置を安価に提供する。
【解決手段】　この飼育装置は、内部に空間Ｓを有する飼育容器１３と、飼育容器を収容する棚１２とを備える。棚は、飼育容器の上方に形成された通気空間Ｖを介して、飼育容器に給気する給気口２５と、飼育容器内を通過した空気を、通気空間を介して排気する排気口２０とを備え、棚の前後方向中央部には、通気空間を、給気空間Ｖａと排気空間Ｖｂとに前後に仕切る隔壁２７ｂが設けられ、給気空間の前端部には、給気空間に供給される空気の漏洩を防止する遮蔽板２６が設けられる。また、空間の前後方向中央部には、飼育容器の上面から垂下する整流板２８が設けられる。
【選択図】　　　　図３
0003100284.tif 000002
【実用新案登録請求の範囲】
【請求項１】
　内部に動物飼育用の空間を有する飼育容器と、この飼育容器を前方に引き出し可能に収容する棚とを備える飼育装置であって、
　上記棚が、収容された上記飼育容器の上方に形成された通気空間を介して、上記飼育容器の前部に上方から給気する給気口と、上記飼育容器内を通過した空気を、上記通気空間を介して後方に排気する排気口とを備え、
　上記棚の前後方向中央部には、上記通気空間を、前方に位置する給気空間と後方に位置する排気空間とに仕切る隔壁が設けられるとともに、上記給気空間の前端部には、上記給気空間に供給される空気の前方への漏洩を防止する遮蔽板が設けられ、
　上記飼育容器が、上記空間内の空気を、上記飼育容器の上面を介して喚気可能とされるとともに、上記空間の前後方向中央部には、上記飼育容器の上面から垂下する整流板が設けられ、
　上記飼育容器を上記棚に収容した際に、上記給気口から、上記給気空間を経て、上記飼育容器内の空間のうち上記整流板の前方に位置する空間に至り、上記整流板の下方を経て、上記飼育容器内の空間のうち上記整流板の後方に位置する空間に至り、更に上記排気空間を経て上記排気口に至る気流が形成されることを特徴とする飼育装置。
【請求項２】
　上記排気空間には、上記排気空間を上方から覆うカバーが、前方に引き出し可能に収容されるとともに、上記隔壁が、上記カバーの前端から下方に垂下する突起であることを特徴とする請求項１に記載の飼育装置。
【請求項３】
　上記整流板が、上記飼育容器を上記棚に収容した際に上記隔壁と上下に重なる位置に、その上端を支点として前後に揺動可能に設けられていることを特徴とする請求項１または２に記載の飼育装置。
【請求項４】
　上記飼育容器の上面が通気可能な蓋で覆われるとともに、この蓋に上記飼育容器の上面から上記空間内に突出するよう設けられた給餌及び給水用の凹部の後面が、上記整流板とされていることを特徴とする請求項１または２に記載の飼育装置。
【請求項５】
　上記遮蔽板が、その上端を支点として前後に揺動可能に設けられていることを特徴とする請求項１ないし４のいずれか１項に記載の飼育装置。
【請求項６】
　上記遮蔽板が、上記飼育容器を上記棚に収容した際に上記飼育容器の前端と上下に重なる位置に設けられていることを特徴とする請求項１ないし５のいずれか１項に記載の飼育装置。
【考案の詳細な説明】
【技術分野】
【０００１】
　本考案は、内部に動物飼育用の空間を有する飼育容器と、この飼育容器を、前方に引き出し可能に収容する棚とを備えた飼育装置に関し、特に、高い換気性と作業性とを確保しつつ、飼育装置の内外における空気の不要な伝播を防止可能な飼育装置に関する。
【背景技術】
【０００２】
　実験用動物等の飼育に際しては、従来より、内部に動物飼育用の空間を有する飼育容器と、この飼育容器を収容する棚とを備え、上記空間内を換気しつつ動物を飼育する飼育装置が多用されているが、動物の世話や飼育容器の着脱、あるいは装置の保守等に際しては相応の時間と手間とを要するため、装置には高い作業性が要求される。一方、実験用動物の飼育に際しては、実験用動物からの不要な感染や、異なる飼育容器で飼育中の実験動物間におけるクロスコンタミネーション等を防止する観点から、飼育装置の内外における空気の不要な伝播を防止する必要がある。そこで、これらの要求をともに満たす飼育装置として、従来より、例えば以下のような飼育装置が提案されている（特許文献１参照。）。
【特許文献１】登録実用新案第３０６３６６９号公報（第５−１０頁、図１−図３）
【０００３】
　この飼育装置の構造を図５に示す。図５において、飼育装置１は、棚板２ａを備える棚２と、棚板２ａに設けられたレール２ｂに懸架された、上方に開口する飼育容器３とを備えている。棚板２ａ内には給気チャンバ４が形成され、棚板２ａの前端部（図中左方）には、給気チャンバ４を介して供給された空気を下方に吹き出す給気口５が開口している。また、棚２の後端には排気ダクト６が設けられ、排気ダクトの前端には、前方の空気を排気ダクト６内に回収する吸込口７が開口している。
【０００４】
　飼育装置１内における気流は、図５に矢印で示す通りである。すなわち、給気チャンバ４から供給された清浄空気は給気口５から下方に吹き出し、飼育容器３の前端部にて飼育容器３内に流入した後、飼育容器３の上端から周囲に排出され、吸込口７を介して排気ダクト６内に回収される。また、給気口５から吹き出した空気の一部は、飼育容器３内には流入せず、図中矢印Ａで示すように、棚２の前端にて下方に向かう気流を形成し、飼育装置１の内外を遮断するエアカーテンとして作用するとともに、図中矢印Ｂで示すように、飼育容器３の側面に沿って後方に向かう気流を形成し、飼育容器３の上端から周囲に排出された空気を、吸込口７に誘導する。
【考案の開示】
【考案が解決しようとする課題】
【０００５】
　ところで、飼育容器３内を完全に換気するためには、飼育容器３内に、例えば図５に矢印Ｃで示すような、飼育容器３の内壁及び底面に沿って後方に向かう気流を形成することが望ましい。しかしながら、上記飼育装置１の場合、給気口５から吹き出した空気の一部は、飼育容器３内の換気には使用されず、図５に矢印Ａ及びＢで示すようにエアカーテン等に使用される。しかも、飼育容器３内の気流を低流速とした場合には、飼育容器３内に流入した空気の一部が、飼育容器３の底面まで到達しにくく、その結果、例えば図５に矢印Ｄで示すように、飼育容器３の上端近傍に沿って後方に移動し、飼育容器３内の換気に殆ど寄与することなく吸込口７に吸引される可能性がある。
【０００６】
　一方、飼育容器３内を確実に換気するには、給気口５から吹き出す空気の流速を高めることが考えられる。しかしながら、この場合には、飼育容器３内が比較的高速の気流に曝され、飼育容器３の飼育環境が低下しないよう、給気口５から吹き出す空気の流速を適宜調整する必要がある。また、給気口５から吹き出す空気の流速を高めるには、給気チャンバ４に送気するファン（ブロア）の出力を増加させる必要があるが、ファンの出力を増加させると、飼育装置１の価格及び運用コストが上昇する。
【０００７】
　本考案は上記事情に鑑みてなされたもので、作業性に優れ、飼育環境の低下や飼育装置の内外における空気の不要な伝播を防止しつつ、飼育容器内を確実に換気可能な飼育装置を安価に提供することを目的としている。
【課題を解決するための手段】
【０００８】
　本考案は、内部に動物飼育用の空間を有する飼育容器と、この飼育容器を前方に引き出し可能に収容する棚とを備える飼育装置であって、上記棚が、収容された上記飼育容器の上方に形成された通気空間を介して、上記飼育容器の前部に上方から給気する給気口と、上記飼育容器内を通過した空気を、上記通気空間を介して後方に排気する排気口とを備え、上記棚の前後方向中央部には、上記通気空間を、前方に位置する給気空間と後方に位置する排気空間とに仕切る隔壁が設けられるとともに、上記給気空間の前端部には、上記給気空間に供給される空気の前方への漏洩を防止する遮蔽板が設けられ、上記飼育容器が、上記空間内の空気を、上記飼育容器の上面を介して喚気可能とされるとともに、上記空間の前後方向中央部には、上記飼育容器の上面から垂下する整流板が設けられ、上記飼育容器を上記棚に収容した際に、上記給気口から、上記給気空間を経て、上記飼育容器内の空間のうち上記整流板の前方に位置する空間に至り、上記整流板の下方を経て、上記飼育容器内の空間のうち上記整流板の後方に位置する空間に至り、更に上記排気空間を経て上記排気口に至る気流が形成されることを特徴としている。
【０００９】
　この場合、上記排気空間に、上記排気空間を上方から覆うカバーを、前方に引き出し可能に収容し、上記隔壁を、上記カバーの前端から下方に垂下する突起としてもよい。
【００１０】
　また、上記整流板を、上記飼育容器を上記棚に収容した際に上記隔壁と上下に重なる位置に、その上端を支点として前後に揺動可能に設けてもよい。あるいは、上記飼育容器の上面が通気可能な蓋で覆われるとともに、この蓋に上記飼育容器の上面から上記空間内に突出するよう設けられた給餌及び給水用の凹部の後面が、上記整流板とされていてもよい。
【００１１】
　また、上記遮蔽板は、その上端を支点として前後に揺動可能に設けることが望ましい。また、更に望ましくは、上記遮蔽板を、上記飼育容器を上記棚に収容した際に上記飼育容器の前端と上下に重なる位置に設ける。
【考案の効果】
【００１２】
　本考案の飼育装置では、飼育容器を棚に収容した際に、給気口から、給気空間を経て、飼育容器内の空間のうち整流板の前方に位置する空間に至り、整流板の下方を経て、飼育容器内の空間のうち整流板の後方に位置する空間に至り、更に排気空間を経て排気口に至る気流が形成される。その結果、給気口から供給される空気の流速を必要以上に高めることなく、上記気流に沿って、飼育容器内を確実に換気することが可能となる。また、飼育装置外への空気の不要な漏洩が、給気空間の前端部に設けた遮蔽板により防止される。
【００１３】
　また、排気空間に、排気空間を上方から覆うカバーを、前方に引き出し可能に収容することにより、棚のうち、排気空間の上方に位置する部位の汚れが、このカバーで防止される。
【００１４】
　また、整流板を、飼育容器を棚に収容した際に隔壁と上下に重なる位置に、その上端を支点として前後に揺動可能に設けることにより、整流板が上記空間内における作業や動物の移動等の邪魔にならない。
【００１５】
　あるいは、飼育容器の上面を覆う蓋に飼育容器の上面から空間内に突出するよう設けられた給餌及び給水用の凹部の後面を整流板とすることにより、整流板を専用の部材で構成した場合に比して飼育容器の構造が簡略化され、飼育容器の部品点数が減少する。従って、飼育容器をより安価に提供することが可能となる。また、蓋とともに整流板の着脱が可能となるので、作業性も向上する。
【００１６】
　更に、遮蔽板を、その上端を支点として前後に揺動可能に設けることにより、遮蔽板が上記した飼育容器やカバーの着脱等の邪魔にならない。また、遮蔽板を、飼育容器を棚に収容した際に飼育容器の前端と上下に重なる位置に設けることにより、給気空間に供給される空気の前方への漏洩が、より確実に防止される。
【考案を実施するための最良の形態】
【００１７】
　以下、図面に基づき、本考案の実施形態について説明する。図１は、本考案に係る飼育装置の例を示す正面図、図２は、この飼育装置の図１中矢印ＩＩに沿った側面図（但し、内部構造を示すため、棚の側壁が省略されている）、図３は、棚及び棚に収容された飼育容器の、前後方向に沿った拡大図である。なお、本明細書では、図１における左右方向を左右、図２における前後方向を前後と定義する。
【００１８】
　この飼育装置１１は、前方に開口する矩形状をなし、左右に延びる水平な棚板１２ａを、上下に所定間隔で備える棚１２と、棚板１２ａ（及び棚の最下段に設けられた底板１２ｃ）上に、前方に引き出し可能に載置された飼育容器１３とを備えている。また、棚板１２ａの下面には、下方に突出する、端面視してＬ字状（棚板１２ａの左右両端部に設けられるもの）または逆Ｔ字状（それ以外のもの）をなすレール１２ｂが、飼育容器１３を棚１２に収容した際に個々の飼育容器１３の上端部を左右から囲むよう、所定の間隔で前後に延設されている。なお、本実施形態の飼育装置１１は、マウスを始めとする小動物の飼育に使用されるもので、左右６個の飼育容器１３が、上下８段にわたり収容可能とされている。
【００１９】
　棚１２の天板１２ｄは、棚板１２ａと同様の構造を有し、天板１２ｄ上には、それぞれＨＥＰＡフィルタ１４を内蔵する給気フィルタ装置１５及び排気フィルタ装置１６が載置されている。給気フィルタ装置１５からは、清浄空気を運搬するダクト１７が、棚１２の一方の側面に沿って下方に延設されるとともに、ダクト１７には、天板１２ｃ及び棚板１２ａの前部にそれぞれ左右に延設された通気口１８の一端が、それぞれ連結されている。また、排気フィルタ装置１６には、棚１２の背面１２ｅに沿って上下に延設されたダクト１９の上端が連結されるとともに、ダクト１９には、飼育容器１３を棚１２に収容した際に個々の飼育容器１３の後方にそれぞれ位置するよう、棚１２の背面１２ｅに所定の間隔で配設された複数の排気口２０の一端が、それぞれ連結されている。なお、図１に符号２０ａで示す部材は、排気口２０の前面に取り付けられたプレフィルタである。
【００２０】
　棚１２の背面１２ｅ側には、天板１２ｄの上方に開口する注水口２１ａから延びる給水用の配管２１が、棚１２に収容される飼育容器１３の後方に水平に延設されるようジグザグに配設されるとともに、配管２１からは、複数の給水ノズル２２が、飼育容器１３を棚１２に収容した際に個々の飼育容器１３の側面に開口する給水口（図示せず。）とそれぞれ嵌合するよう、所定の間隔で前方に突出している。また、符号２１ｂは、配管２１のドレン口で、底板１２ｃの側上方に開口している。そして、これら配管２１及び給水ノズル２２により、飼育容器１３内の動物に対する自動給水器が構成されている。また、符号２３は、底板１２ｃの四隅にそれぞれ設けられた移動用のキャスタ、符号２４は、前方に位置するキャスタ２４の左右方向内方にそれぞれ設けられた、棚１２支持用の台座である。
【００２１】
　棚板１２ａ（または天板１２ｄ）の下面には、通気口１８と連通する複数の給気口２５が、飼育容器１３を棚１２に収容した際に個々の飼育容器１３の前部上方にそれぞれ位置するよう、所定の間隔で形成されている。また、個々の給気口２５の前方には、飼育容器１３を棚１２に収容した際に飼育容器１３の前端と上下に重なる位置にて、左右に延びる遮蔽板２６が、図３に点線で示すように、その上端を支点として前方に揺動可能に垂下されている。ここで、遮蔽板２６のサイズは、棚１２に収容された飼育容器１３及び棚１２への出し入れ操作中における飼育容器１３と、遮蔽板２６とが干渉しない程度に設定される。なお、遮蔽板２６は、前後に揺動可能とされていてもよい。
【００２２】
　飼育容器１３への棚１２の収容に伴い、飼育容器１３の上方には、棚板１２ａ（または天板１２ｄ）の下面と、棚１２の背面１２ｅと、飼育容器１３の左右に位置するレール１２ｂと、遮蔽板２６とで囲まれた通気空間Ｖが形成される。
【００２３】
　通気空間Ｖの奥部（背面１２ｅ側）には、図４に示すような、平板矩形状をなし、前後方向両端に、同一方向に直角に屈曲する壁部２７ａと突起（隔壁）２７ｂとを有するカバー２７が、その左右両端部をレール１２ｂに係止させた状態で、水平に配設されている。カバー２７は、図３に符号(ａ)で示すように、壁部２７ａ及び突起２７ｂを下方に向け、突起２７ｂが棚１２の背面１２ｅと当接するまで後方に移動させることにより、通気空間Ｖ内の所定位置に収容され、その結果、棚板１２ａの下面のうち、背面１２ｅ側の所定範囲（後述する排気空間の上方に相当する範囲）と、棚１２の背面１２ｅのうち、排気口２０の上側とが、カバー２７により覆われる。一方、図３における符号(ｂ)は、カバー２７を、レール１２ｂの延設方向に沿って前方に引き出した状態を示している。
【００２４】
　ここで、カバー２７の全長（前後方向の長さＬ）は、カバー２７を上記所定位置に配設した際に、突起２７ｂが棚１２の前後方向中央部（より正確には、棚１２に収容された飼育容器１３の前後方向中央部の上方）に位置するよう設定される。また、壁部２７ａのサイズは、カバー２７を上記所定位置に配設した際に、壁部２７ａが、棚１２の背面１２ｅのうち、排気口２０の上方を前方から覆うよう設定されるとともに、突起２７ｂのサイズは、棚１２に収容された飼育容器１３及び棚１２への出し入れ操作中における飼育容器１３と、突起２７とが干渉しない程度に設定される。そして、カバー２７を上記所定位置に配設することにより、通気空間Ｖが、突起２７ｂの前方に位置する給気空間Ｖａと、突起２７ｂの後方に位置する排気空間Ｖｂとに仕切られる。
【００２５】
　飼育容器１３は、上方に開口する矩形状をなし、その内部は、動物飼育用の空間Ｓとされるとともに、その上端外周縁には、水平なフランジ部１３ａが形成されている。また、空間Ｓは、フランジ部１３ａに上方から当接された、通気可能な蓋１３ｂにより上方から覆われ、蓋１３ｂの前方側には、給餌及び給水用の凹部１３ｃが、飼育容器１３の上面から空間Ｓ内に突出するよう設けられている。なお、符号１３ｄは、蓋１３ｂをフランジ部１３ａに係止させるためのクリップである。更に、本発明に係る飼育装置１１では、空間Ｓの前後方向中央部（より正確には、飼育容器１３を棚１２に収容した際に突起２７ｂと上下に重なる位置）にて、左右に延びる整流板２８が、蓋１３ｂから垂下している。この整流板２８は、図３に矢印Ｅで示すようにその上端を支点として前後に揺動可能とされている。ここで、整流板２８のサイズは、後述するような整流効果を発揮し、かつ整流板２８により空間Ｓ内における動物の飼育や作業等に支障が生じない程度に設定される。
【００２６】
　上記飼育装置１１では、給気フィルタ装置１５から供給される清浄空気が、ダクト１７、通気口１８、及び給気口２５を介して、上方から給気空間Ｖａに供給され、更に、蓋１３ｂを介して、空間Ｓのうち、飼育容器１３の前方側の内壁と整流板２８とで囲まれた空間（図３に符号Ｓａで示す部分）に流入し、更に、整流板２８の下方を通り、空間Ｓのうち、飼育容器１３の後方側の内壁と整流板２８とで囲まれた空間（図３に符号Ｓｂで示す部分）を介して排気空間１３に流入した後、再度蓋１３ｂを介して排気口２０に至り、ダクト１９を介して、排気フィルタ装置１６から排出される。
【００２７】
　すなわち、上記飼育装置１１によれば、図３に矢印Ｆで示すような、給気口２５から、給気空間Ｖａ、空間Ｓａ、空間Ｓｂ、及び排気空間Ｖｂを経て排気口２０に至る気流が形成される。この気流は、飼育容器１３の内壁及び底面に沿って後方に向かうため、この気流に沿って、飼育容器１３内を確実に換気することが可能となる。特に、空間Ｓ内の気流が、整流板２８により予め適切な方向に強制的に整流されているため、給気口２５から供給される空気の流速が低く、かつ気流に乱れがあっても、飼育容器１３内が確実に換気される。同様に、給気口２５から供給される空気、及び排気口２０から排出される空気の流速を必要以上に高めずに済むので、これらの給排気に使用されるファンにも比較的低出力のものが使用可能となり、飼育装置１１の価格及び運用コストが抑制される。
【００２８】
　加えて、飼育容器１３の上方に、棚板１２ａ（または天板１２ｄ）の下面と、棚１２の背面１２ｅと、レール１２ｂと、遮蔽板２６とで囲まれた通気空間Ｖが形成され、更に、通気空間Ｖが、突起２７ｂにより、突起２７ｂの前方に位置する給気空間Ｖａと、突起２７ｂの後方に位置する排気空間Ｖｂとに仕切られ、その結果、これら空間Ｖ，Ｖａ，Ｖｂからの空気の不要な漏洩が防止されていることも、換気効率の向上と、クロスコンタミネーションの防止に役立っている。特に、給気空間Ｖａの前端部に、給気空間Ｖａに供給される空気の前方への漏洩を防止する遮蔽板２６を設けたことにより、エアカーテンのような、飼育装置１１外に空気を漏洩させる手段を設けずとも、給気空間Ｖａから空間Ｓを経て排気空間Ｖｂに至る空気の経路が、外気から遮断される。従って、空間Ｓ内の臭気等が、飼育装置１１外に漏洩することもない。この場合、遮蔽板２６を、飼育容器１３を棚１２に収容した際に飼育容器１３の前端と上下に重なる位置に設けることにより、給気空間Ｖａに供給される空気の前方への漏洩が、より確実に防止される。
【００２９】
　なお、換気に際しては、給気口２５から供給される空気量に比して、排気口２０から排出される空気量を相対的に大きくすることにより、空間Ｓ，Ｖ，Ｖａ，Ｖｂにおける空気の滞留が防止される。その結果、空間Ｓ内の空気を、更に効率良く換気することが可能となるとともに、空間Ｓ，Ｖ，Ｖａ，Ｖｂからの空気の漏洩が、より確実に防止される。
【００３０】
　また、遮蔽板２６を、その上端を支点として前方に揺動可能に設けることにより、遮蔽板が飼育容器１３やカバー２７の着脱等の邪魔になることもない。同様に、整流板２８を、その上端を支点として前後に揺動可能に設けることにより、整流板２８が空間Ｓ内における動物の飼育や作業等の邪魔になることもない。
【００３１】
　また、排気空間Ｖｂに、排気空間Ｖｂを上方から覆うカバー２７を、前方に引き出し可能に収容することにより、棚１２のうち、排気空間Ｖｂの上方に位置する部位（棚板１２ａの下面のうち、背面１２ｅ側の所定範囲）の汚れが、カバー２７で防止される。加えて、棚１２の背面１２ｅのうち、排気口２０の上側が、カバー２７の壁部２７ａにより覆われているため、この部位の汚れをも、同一のカバー２７で併せて防止することができる。これらの部位は、空間Ｓｂから排気空間Ｖｂに向かう気流が吹き付け、汚れが付着しやすい部位であるが、上記のように着脱可能なカバー２７で覆っておけば、カバー２７のみを適宜取り外して洗浄することにより、装置内を容易に清掃することが可能となる。
【００３２】
　なお、本考案は上記実施形態に限定されるものではなく、具体的な使用環境等に応じ、本考案の趣旨を逸脱しない範囲で、任意に変更可能であることは言うまでもない。例えば、図３に符号２８で示す整流板に代えて、凹部１３ｃの後面（図３に符号Ｇで示す範囲）を、プレート状の整流板としてもよい。この整流板によっても、符号２８で示す整流板と同様の効果が得られる。更に、凹部１３ｃの後面を整流板とすることにより、符号２８で示すように整流板を専用の部材で構成した場合に比して、飼育容器１３の構造が簡略化され、飼育容器１３の部品点数が減少するため、飼育容器１３をより安価に提供することが可能となる。また、蓋１３ｂとともに整流板の着脱が可能となるので、作業性も向上する。
【００３３】
　また、プレート２７に形成された突起２７ｂに代え、図３に符号２９で示すような、棚１２の下面の前後方向中央部に左右に延びる隔壁を設け、この隔壁２９により、通気空間Ｖを給気空間Ｖａと排気空間Ｖｂとに仕切ってもよい。この隔壁２９によっても、突起２７ｂと同様の効果が得られる。あるいは、飼育容器１３を、フランジ部１３ａを介して、プレート２７と同様に、左右に延設されたレール１２ｂに懸架する構成としてもよい。
【図面の簡単な説明】
【００３４】
【図１】本考案に係る飼育装置の例を示す正面図である。
【図２】図１に示す飼育装置の図１中矢印ＩＩに沿った一部断面図である。
【図３】図１に示す飼育装置における、棚及び棚に収容された飼育容器の、前後方向に沿った一部拡大断面図である。
【図４】図１に示す飼育装置に使用されるプレートの上方斜視図である。
【図５】従来の飼育装置の例を示す、棚及び棚に収容された飼育容器の、前後方向に沿った拡大図である。
【符号の説明】
【００３５】
　１１　飼育装置
　１２　棚
　１３　飼育容器
　１３ｂ　蓋
　１３ｃ　凹部
　２０　排気口
　２５　給気口
　２６　遮蔽板
　２７　カバー
　２７ｂ，２９　隔壁（突起）
　Ｓ　空間
　Ｖ　通気空間
　Ｖａ　給気空間
　Ｖｂ　排気空間
【図１】
0003100284.tif 000003
【図２】
0003100284.tif 000004
【図３】
0003100284.tif 000005
【図４】
0003100284.tif 000006
【図５】
0003100284.tif 000007